(57)【要約】【課題】管理ポイントに対して自由に複数のグループ設定を行うことができる管理装置を提供する。【解決手段】複数の管理対象機器の情報を管理ポイントとして管理する管理装置において、管理ポイントが予め備えているパラメータと同様に、ユーザが任意に追加するグループについても、各管理ポイントごとにグループ定義、追加を行うことができるとともに、任意のキーワードにより自由に複数設定することができる。【選択図】図４
2012141695.tif 000002
【特許請求の範囲】
【請求項１】
複数の管理対象機器の情報を各管理対象機器に割り付けられた管理ポイントとして管理制御する管理装置において、
表示部と、
前記管理ポイントを定義するポイント情報として、少なくともポイントＩＤとポイント名称とを含む情報を記憶するポイント情報記憶部と、
前記管理ポイントが属するグループを定義するグループ情報を記憶するグループ情報記憶部と、
を備え、
前記グループ情報は、前記表示部を介して、前記ポイントＩＤごとに、任意のキーワードにより複数設定される
ことを特徴とする管理装置。
【請求項２】
前記グループ情報は、前記各管理ポイントに対して、第１データと第２データとを含む情報である
ことを特徴とする請求項１記載の管理装置。
【請求項３】
前記管理ポイントを検索するための条件として、前記表示部を介して、前記ポイント情報または前記グループ情報に設定されているキーワードが設定されたとき、当該設定された検索条件を充足する管理ポイントを前記ポイント情報及び前記グループ情報から抽出する検索処理部をさらに備える
ことを特徴とする請求項１または２記載の管理装置。
【請求項４】
前記管理ポイントを検索するための条件として、前記表示部を介して、前記ポイント情報または前記グループ情報に設定されているキーワードが複数設定されたとき、
前記検索処理部は、所定の論理演算条件により、前記複数のキーワードによる検索条件を充足するポイントＩＤを前記ポイント情報及び前記グループ情報から検出することにより、前記管理ポイントを抽出する
ことを特徴とする請求項３記載の管理装置。
【請求項５】
前記管理ポイントを検索するための条件として、前記表示部を介して、前記ポイント情報または前記グループ情報に設定されているキーワードが、所定の論理演算条件とともに複数設定されたとき、
前記検索処理部は、前記所定の論理演算条件により、前記複数の設定された検索条件を充足するポイントＩＤを前記ポイント情報及び前記グループ情報から検出することにより、前記管理ポイントを抽出する
ことを特徴とする請求項３記載の管理装置。
【発明の詳細な説明】
【技術分野】
【０００１】
この発明は、工場、ビル施設等における電気設備等、複数の管理対象機器の情報を管理ポイントとして管理、制御する管理装置に関するものである。
【背景技術】
【０００２】
工場、ビル施設等における電気設備等、複数の管理対象機器の情報を管理ポイントとして管理、制御する管理装置では、管理ポイントを設備、系統など任意のグループに分類し、一括設定や一覧表示などを行っている。例えば、特許文献１には、ＣＲＴ表示装置に表示するキー選択画面に、ソートキーと、１または複数のグループ種別キーを設け、ソートキーの操作により、グループ種別キーの操作で選択した運用状態データを読み出して並べ替え、その並び替えた運用状態データを基に運用状態を一覧表示させる制御演算部と、電気設備機器の運用状態データと並び替え後の運用状態データを記憶するデータ記憶部とを備えた運用監視装置が開示されている。この装置によれば、キー選択画面において、グループ種別キーを入力するだけで、入力したグループ種別の内容に従って並べ替えられた電気設備機器の運用状態を一覧表示することができる。
【０００３】
一方、設備管理の観点から、既存のシステムに対して新たなグループを簡単に追加、編集し、新たな条件で検索したいという要望があった。また、近年、省エネ法の適用範囲が拡大されたことに伴い、エネルギー使用に関する報告書等を作成するにあたり、新たな検索条件で管理ポイントの検索を行い、その結果を出力する必要が出てくることも考えられる。
【先行技術文献】
【特許文献】
【０００４】
【特許文献１】特開平８−４４４１７号公報
【発明の概要】
【発明が解決しようとする課題】
【０００５】
しかしながら、特許文献１に記載されているような従来の装置では、１つの管理ポイントに対して１つのグループが割り付けられているのみである。また、たとえ１つの管理ポイントを複数のグループに割り付けることができたとしても、１つの管理ポイントがどのグループに割り付けられているのかを容易に把握することはできない。さらに、運用中の既存のシステムにおいて、新たに追加、編集した複数のグループを含むような新たな条件での検索を行うことができないという課題があった。
【０００６】
この発明は、上記のような課題を解決するためになされたものであり、１つの管理ポイントに対してユーザが自由に複数のグループ設定を行うことができる管理装置を提供することを目的としている。
【課題を解決するための手段】
【０００７】
上記目的を達成するため、この発明は、複数の管理対象機器の情報を各管理対象機器に割り付けられた管理ポイントとして管理制御する管理装置において、表示部と、前記管理ポイントを定義するポイント情報として、少なくともポイントＩＤとポイント名称とを含む情報を記憶するポイント情報記憶部と、前記管理ポイントが属するグループを定義するグループ情報を記憶するグループ情報記憶部と、を備え、前記グループ情報は、前記表示部を介して、前記ポイントＩＤごとに、任意のキーワードにより複数設定されることを特徴とする。
【０００８】
また、この発明は、前記グループ情報は、前記各管理ポイントに対して、第１データと第２データとを含む情報であることを特徴とする。
【０００９】
また、この発明は、前記管理ポイントを検索するための条件として、前記表示部を介して、前記ポイント情報または前記グループ情報に設定されているキーワードが設定されたとき、当該設定された検索条件を充足する管理ポイントを前記ポイント情報及び前記グループ情報から抽出する検索処理部をさらに備えることを特徴とする。
【００１０】
さらに、この発明は、前記管理ポイントを検索するための条件として、前記表示部を介して、前記ポイント情報またはグループ情報に設定されているキーワードが複数設定されたとき、前記検索処理部は、所定の論理演算条件により、前記複数のキーワードによる検索条件を充足するポイントＩＤを前記ポイント情報及び前記グループ情報から検出することにより、前記管理ポイントを抽出することを特徴とする。
【００１１】
また、この発明は、前記管理ポイントを検索するための条件として、前記表示部を介して、前記ポイント情報または前記グループ情報に設定されているキーワードが、所定の論理演算条件とともに複数設定されたとき、前記検索処理部は、前記所定の論理演算条件により、前記複数の設定された検索条件を充足するポイントＩＤを前記ポイント情報及び前記グループ情報から検出することにより、前記管理ポイントを抽出することを特徴とする。
【発明の効果】
【００１２】
この発明によれば、１つの管理ポイントに対してユーザが自由に複数のグループ設定を行うことができ、また、複数のグループ種別を含むような新たな条件での検索を行うことができる。さらに、運用中の既存のシステムにおいても、新たなグループの追加、編集及び前記新たな条件での検索を容易に行うことができる。
【図面の簡単な説明】
【００１３】
【図１】管理装置におけるポイント・テーブルを示す図である。
【図２】従来のグループ登録画面の例を示す図である。
【図３】従来のグループ・テーブルを示す図である。
【図４】この発明におけるグループ登録画面の例を示す図である。
【図５】この発明におけるグループ・テーブルを示す図である。
【図６】この発明におけるポイント・テーブル（グループ情報付き）を示す図である。
【図７】この発明における検索条件設定画面の例を示す図である。
【図８】この発明における検索結果画面の例を示す図である。
【発明を実施するための形態】
【００１４】
以下、この発明の実施の形態を図面に基づいて説明する。
図１は、管理装置における管理ポイントのポイント・テーブルを示す図である。工場、ビル施設等における電気設備等、複数の管理対象機器の情報を管理ポイントとして管理制御する管理装置において、各管理ポイントが備えるパラメータ（例えば、アナログポイントであれば、ＩＤ、名称、レンジ、単位等、デジタルポイントであれば、ＩＤ、名称、状態等）は、予めシステムで決められているものであり、各管理ポイントについてパラメータの値が定義され、図１のようなポイント・テーブルとして管理装置のポイント情報記憶部に記憶されている。しかしながら、各管理ポイントについて、ユーザが自由にパラメータを追加したり編集したりすることはできない。
【００１５】
そのため、ユーザが追加したい情報があった場合には、その追加したい情報についてのグループを作成して、そのグループに管理ポイントを登録していた。図２は、従来のグループ登録画面の例を示す図である。例えば、設備のメンテナンスのために、設備の設置年度を登録しておきたい場合には、グループ１を「設置年度２００５年」のグループ、グループ２を「設置年度２００６年」のグループ、・・・、といったようにグループを追加し、図２（Ａ）に示すように、グループ１の中にＡＩ０００１、ＤＩ０００１、ＤＩ０００２、・・・のようにポイントＩＤを入力することにより、そのグループに属する管理ポイントを登録していた。また、別の情報として、設備の設置されている系統（エリア）を追加登録したい場合には、グループ１１を「系統＝東」のグループ、グループ１２を「系統＝南東」のグループ、・・・といったようにグループを追加し、図２（Ｂ）に示すように、グループ１１の中にＡＩ０００１、ＡＩ０００２、ＤＩ０００２、・・・のようにポイントＩＤを入力することにより、そのグループに属する管理ポイントを登録していた。
【００１６】
その結果、前記グループ登録によってグループ情報記憶部に記憶されるグループ・テーブルは図３に示すようなものであり、従来の管理装置においては、図１に示すポイント・テーブルと図３に示すグループ・テーブルとを関連付けることはできなかった。すなわち、管理ポイント側にとっては、システムで決められているパラメータについては把握できるが、自ポイントがどのグループに属しているのかを把握することはできず、グループ側にとっては、自グループに属している管理ポイントについては把握できるが、それらが他にどのグループに属しているのかを把握することはできなかった。また、登録したグループ情報に関連して、例えば「設置年度２００５年」かつ「系統＝東」という管理ポイントを検索したい場合にも、そのような複数のグループに含まれる管理ポイントを検索することはできなかった。
【００１７】
一方、図４は、この発明におけるグループ登録画面の例を示す図である。この発明においては、管理ポイントが予め備えているパラメータと同様に、ユーザが任意に追加するグループ登録の場合にも、各管理ポイントごとにグループ定義、追加等を行うものである。例えば「設置年度２００５年」、「設置年度２００６年」・・・といったグループを追加したい場合には、図４に示すグループ登録画面において、第１データ１１に「設置年度」を入力し、第２データ２１に各管理ポイントごとの設置年度である「２００５年」、「２００６年」・・・を入力することにより、設置年度についてのグループを登録する。ここで、第１データに入力するキーワードも、第２データに入力するキーワードも、ユーザが任意に決定して入力することができるものであり、第１データ１１を「設置年」として、第２データ２１には「２００５」「２００６」・・・を入力するようにしてもよい。同様に、その他に追加したい情報（例えば「系統」や「場所」等）のグループについても、第１データ１２，１３，・・・及び第２データ２２，２３，・・・に任意のキーワードを入力することにより、自由に登録することができる。
【００１８】
また、この発明においては、第１データなしの任意（フリー）のグループ情報として、第２データにのみ、ユーザが自由にいくつでもキーワード入力することも可能であり、その場合には、任意グループ用の第２データ３０に、例えばＡＩ０００１については「保守，空調」、ＡＩ０００２については「空調」、ＡＩ０００３については「高温注意，空調」、・・・といったユーザが任意に決めたキーワードを、各管理ポイントごとに１つでも複数でも自由に入力することにより、任意グループを登録することも可能である。なお、キーワードを複数入力する場合には、カンマ（「，」）やスペース等により、キーワードを区切るものとする。
【００１９】
図５は、図４に示すグループ登録画面によって定義、追加、編集等した結果、管理装置のグループ情報記憶部に記憶されるグループ情報を示すグループ・テーブルの図である。このように、この実施の形態においては、グループ・テーブルには、追加、編集された第１データ、第２データに対応して各管理ポイントのポイントＩＤが定義されているため、管理装置は、図１に示すポイント・テーブルと図５に示すグループ・テーブルとをポイントＩＤによってソートして、図６に示すようなポイント・テーブル（グループ情報付き）を生成することができる。具体的には、第１データ及び第２データが追加された場合は、これらの情報に対応するポイント情報のポイントＩＤが行単位で追加される。また、第１データなしの第２データが追加された場合は、１つの第２データに対応するポイント情報のポイントＩＤが行単位で追加される。
【００２０】
その結果、管理ポイントがデフォルトで有している「ポイント名称」等のポイント情報と、ユーザが任意に追加作成した「設置年度」等のグループ情報とを、並列に並べて検索することが可能となる。図７は、検索条件設定画面の例を示す図である。図７（Ａ）は、ポイント名称や設置年度等、ある項目を基準にして管理ポイントの並び替えを行う場合の条件設定画面であり、図７（Ｂ）は、「設置年度」＝「２００５年」、かつ、「系統」＝「東」であるもの、といったような、複数のグループに含まれる管理ポイントを検索するための条件設定画面である。
【００２１】
また、図７（Ｃ）は、ポイント情報またはグループ情報に含まれている複数のキーワードを自由に入力して、それらすべてをポイント情報またはグループ情報として有している管理ポイントを検索するための条件設定画面である。なお、図７（Ｃ）の例では、ポイント情報またはグループ情報として、「温度，東，空調」のすべてを含む管理ポイントを検索するものである。これは、具体的には、ポイント情報のうちのポイント名称に「温度」を含み、かつ、グループ情報の第２データとして「東」及び「空調」を含む管理ポイントを検索するものである。また、これを「温度，東，−空調」と入力することにより、ポイント情報またはグループ情報として「温度」及び「東」を含み、かつ、「空調」を含まない管理ポイントを検索することも可能である。この検索条件に従えば、ＡＩ０００１，ＡＩ０００２，・・・が検索結果として抽出される。なお、ここでは、カンマ（「，」）で区切ったキーワードの「ＡＮＤ」をとって検索するよう、予め論理演算条件が定められているが、「ＯＲ」で検索するように設定することも可能である。
【００２２】
これらの検索結果として、その検索条件に該当する管理ポイントのポイントＩＤとポイント名称が表示部に表示される。図８は、前記図７（Ｂ）の検索条件によって検索を行った場合の検索結果を表示した検索結果表示画面の例を示す図である。
【００２３】
以上のとおり、この発明によれば、１つの管理ポイントに対してユーザが自由に複数のグループ設定を行うことができ、また、複数のグループ種別を含むような新たな条件での検索を行うことができる。これは、システムを運転中にも行うことができるものであり、既存のシステムに対して新たなグループを追加、編集し、新たな条件で検索したいという要望や報告書作成の必要が生じた場合にも、即座に対応できるものである。
【００２４】
また、この発明によれば、ユーザが自由に追加、編集等を行うグループについても各管理ポイントのポイントＩＤごとに設定されているため、ある１つの管理ポイントにどのようなグループが設定されているのかを容易に把握することができる。
【００２５】
さらに、ある１つの管理ポイント、例えばＡＩ０００１を削除することになった場合、従来では、当該管理ポイントＡＩ０００１を削除するとともに、その管理ポイントＡＩ０００１がどのグループに属していたかを調べ、グループ１に定義されていたＡＩ０００１も、グループ１１に定義されていたＡＩ０００１も、それぞれグループごとに削除しなければならない、という手間があったが、この発明によれば、当該管理ポイントＡＩ０００１を削除するだけで、その管理ポイントＡＩ０００１に対応して設定されていたグループについても自動的に削除されるため、従来のようにグループごとにチェックして削除するという作業を行う必要がなくなり、作業効率が高くなるという効果もある。
【００２６】
なお、本願発明はその発明の範囲内において、実施の形態の任意の構成要素の変形、もしくは実施の形態の任意の構成要素の省略が可能である。
【符号の説明】
【００２７】
１１，１２，１３  第１データ
２１，２２，２３，３０  第２データ
【図１】
2012141695.tif 000003
【図２】
2012141695.tif 000004
【図３】
2012141695.tif 000005
【図４】
2012141695.tif 000006
【図５】
2012141695.tif 000007
【図６】
2012141695.tif 000008
【図７】
2012141695.tif 000009
【図８】
2012141695.tif 000010